(57)【要約】【課題】造影剤を使用した断層像の撮影において、適切なタイミングで本撮影を行なうことが可能なＸ線ＣＴ装置を提供する。【解決手段】監視撮影を行なう被検体の監視領域、オートボイス開始用閾値Ａ、撮影開始用閾値Ｂを設定する（Ｓ１０２）。制御部３は監視撮影を開始し、濃度値算出部２ｂは監視ＣＴ値を取得する（Ｓ１０５）。監視ＣＴ値がオートボイス開始用閾値Ａに達した場合に、オートボイスを開始する（Ｓ１０８）。監視ＣＴ値が撮影開始用閾値Ｂに達した場合に、本撮影を開始する（Ｓ１１９）。【選択図】図５
2007111255.tif 000002
【特許請求の範囲】
【請求項１】
Ｘ線を照射するＸ線源と、
被検体をはさんで前記Ｘ線源に対向して配置され、前記Ｘ線を検出して投影データを出力するＸ線検出器と、
前記Ｘ線源及び前記Ｘ線検出器を搭載して回転可能な回転手段と、
前記Ｘ線源、前記Ｘ線検出器、及び前記回転手段を制御して撮影を実行するための撮影制御手段と、
前記投影データに基づいて前記被検体の断層像を再構成する画像処理手段と、
前記再構成された断層像を表示する表示手段と、
前記断層像上に関心領域を設定する関心領域設定手段と、
前記設定された関心領域の濃度値を算出する濃度値算出手段と、
造影剤を注入された前記被検体の造影血管像を得るための本撮影に必要な準備行為の指示の開始時を判断するための監視用閾値であって、前記本撮影時における濃度値よりも低い値である監視用閾値を設定する閾値設定手段と、
前記準備行為の指示を行う指示手段と、
を備え、
前記撮影制御手段は、前記本撮影に先立ち、前記被検体の同一部位を所定時間撮影して前記部位の濃度値を監視する監視撮影を行い、
前記濃度値算出手段は、前記監視撮影で得られた断層像上に設定された関心領域の濃度値を算出し、
該濃度値が前記監視用閾値以上の場合に、前記指示手段は前記準備行為の指示を開始する、
ことを特徴とするＸ線ＣＴ装置。
【請求項２】
前記閾値設定手段は、前記本撮影の開始時を判断するための撮影用閾値を更に設定し、
前記濃度値算出手段が算出した濃度値が前記撮影用閾値以上の場合に、前記撮影制御手段は本撮影の開始を制御する、
ことを特徴とする請求項１に記載のＸ線ＣＴ装置。
【請求項３】
前記準備行為の指示が行われた後に、前記撮影制御手段により監視撮影が行われた回数を計測する監視回数計測手段、又は前記撮影制御手段が前記監視撮影を開始してからの経過時間又は前記指示手段による指示が行われてからの経過時間を計測する計時手段、の少なくとも一つを備え、
前記監視回数計測手段が計測した監視撮影の回数が所定回数以上の場合、あるいは前記監視撮影が開始されてからの経過時間が所定時間以上の場合又は前記指示手段による指示が行われてからの経過時間が所定時間以上の場合に、前記撮影制御手段は本撮影の開始を制御する、
ことを特徴とする請求項１に記載のＸ線ＣＴ装置。
【発明の詳細な説明】
【技術分野】
【０００１】
本発明は、Ｘ線ＣＴ装置に係り、特に造影剤を使用した断層像の撮影において、最適なタイミングで本撮影を行なうことができるＸ線ＣＴ装置に関する。
【背景技術】
【０００２】
従来、被検体に造影剤を注入して造影血管像を撮影するときに造影剤注入後の最適造影タイミングで造影血管像の撮影を行うための技術がある。
【０００３】
例えば特許文献１記載のＸ線ＣＴ装置では、図１４に示すように、造影剤を注入した被検体における監視を行う位置で対象物の断層像を撮影した後（Ｓ４０１）、断層像上のＣＴ値を監視する箇所、監視するＣＴ値に対する閾値、監視を行う時間（Ｔ）を設定する（Ｓ４０２）。次に、ＣＴ値監視の為の監視撮影（モニタリングスキャン）を行う（Ｓ４０３）。監視撮影が開始されると、１回の撮影毎に監視箇所の平均ＣＴ値を算出し（Ｓ４０５）、監視撮影の経過時間（ｔ）の計時を開始する（Ｓ４０６）。監視撮影の開始から設定した監視時間を経過する（Ｓ４０７）、又は監視ＣＴ値が閾値を超えると（Ｓ４０８）、監視撮影を終了して自動発声（オートボイス）を行う（Ｓ４０９）。次いで、最終的に取得したい画像を得るための撮影（本スキャン）を行う（Ｓ４１０）。
【特許文献１】特開平１１−２８２０２号公報
【発明の開示】
【発明が解決しようとする課題】
【０００４】
特許文献１では、監視撮影において本撮影に移行するための条件を満たしてから、本撮影に必要な準備行為を促すためのオートボイスを発声し本撮影を行なう。しかし、オートボイス発声の場合には通常数秒といった一定時間を要するため、本撮影への移行の際に遅れが生じ、実際に撮影を行いたいタイミングで本撮影を行えないという問題がある。
【０００５】
本発明は、このような事情を鑑みてなされたものであり、造影剤を使用した断層像の撮影において、適切なタイミングで本撮影を行なうことができるＸ線ＣＴ装置を提供することを目的とする。
【課題を解決するための手段】
【０００６】
上記の目的を達成するため、本発明にかかるＸ線ＣＴ装置は、Ｘ線を照射するＸ線源と、被検体をはさんで前記Ｘ線源に対向して配置され、前記Ｘ線を検出して投影データを出力するＸ線検出器と、前記Ｘ線源及び前記Ｘ線検出器を搭載して回転可能な回転手段と、前記Ｘ線源、前記Ｘ線検出器、及び前記回転手段を制御して撮影を実行するための撮影制御手段と、前記投影データに基づいて前記被検体の断層像を再構成する画像処理手段と、前記再構成された断層像を表示する表示手段と、前記断層像上に関心領域を設定する関心領域設定手段と、前記設定された関心領域の濃度値を算出する濃度値算出手段と、造影剤を注入された前記被検体の造影血管像を得るための本撮影に必要な準備行為の指示の開始時を判断するための監視用閾値であって、前記本撮影時における濃度値よりも低い値である監視用閾値を設定する閾値設定手段と、前記準備行為の指示を行う指示手段と、を備え、前記撮影制御手段は、前記本撮影に先立ち、前記被検体の同一部位を所定時間撮影して前記部位の濃度値を監視する監視撮影を行い、前記濃度値算出手段は、前記監視撮影で得られた断層像上に設定された関心領域の濃度値を算出し、該濃度値が前記監視用閾値以上の場合に、前記指示手段は前記準備行為の指示を開始する、ことを特徴とする。
【０００７】
また、前記閾値設定手段は、前記本撮影の開始時を判断するための撮影用閾値を更に設定し、前記濃度値算出手段が算出した濃度値が前記撮影用閾値以上の場合に、前記撮影制御手段は本撮影の開始を制御してもよい。
【０００８】
また、前記準備行為の指示が行われた後に前記撮影制御手段により監視撮影が行われた回数を計測する監視回数計測手段、又は前記撮影制御手段が前記監視撮影を開始してからの経過時間又は前記指示手段による指示が行われてからの経過時間を計測する計時手段、の少なくとも一つを備え、前記監視回数計測手段が計測した監視撮影の回数が所定回数以上の場合、あるいは前記監視撮影が開始されてからの経過時間が所定時間以上の場合又は前記指示手段による指示が行われてからの経過時間が所定時間以上の場合に、前記撮影制御手段は本撮影の開始を制御してもよい。
【発明の効果】
【０００９】
本発明によれば、本撮影に必要な準備行為の指示の開始時を判断するための閾値であって本撮影時における濃度値よりも低い値である閾値を設ける。監視撮影中に関心領域の濃度値が閾値を越えると準備行為の指示を開始する。そのため、適切な撮影タイミングで本撮影を行なうことができる。
【発明を実施するための最良の形態】
【００１０】
以下、添付図面に従って、本発明に係わるＸ線ＣＴ装置の好ましい実施の形態について詳説する。なお、以下では、ＣＴ値は、断層像における造影剤の濃度値をいう。
【００１１】
＜第一実施形態＞
図１乃至図２に基づいて本発明に係るＸ線ＣＴ装置１のハードウェア構成を説明する。図１は、Ｘ線ＣＴ装置１のハードウェア構成を示すブロック図である。図２は、Ｘ線管４１と検出器４３との位置関係を示す図である。以下では、被検体に本撮影のための準備行為を指示する指示手段として、オートボイスを例として説明する。
【００１２】
Ｘ線ＣＴ装置１は、中央処理部２、制御部３、スキャナ４、画像処理部５及び操作卓６、及び図示しない寝台から構成される。
【００１３】
操作者が造影剤を用いた監視撮影を行う場合、被検体７のどの位置を監視し、どれだけの範囲の断層像を再構成するか、スキャン計画を立て、設定を行う。
【００１４】
中央処理部２は、ＣＰＵにより構成され、Ｘ線ＣＴ装置１の動作制御を行う。また、中央処理部２でスキャン計画に関する情報が処理され、Ｘ線制御部３１やコリメータ制御部３２、スキャナ制御部３３によってスキャナ４が制御される。
【００１５】
制御部３は、Ｘ線制御部３１、コリメータ制御部３２、スキャナ制御部３３とを備える。Ｘ線制御部３１は、Ｘ線管４１に印加する管電流を制御し、照射するＸ線量を調整する。コリメータ制御部３２は、コリメータ４２を制御しＸ線の照射角度を調整する。スキャナ制御部３３は、スキャナ４の制御を行うものであり、Ｘ線源４１、図示しない寝台、検出器４３の回転動作等の制御を行う。
【００１６】
スキャナ４は、Ｘ線管４１と検出器４３とを搭載して回転する。Ｘ線管４１と検出器４３とは、被検体７の撮影領域を挟んで対向する位置に固定されている。それらが一回転する間にＸ線管４１からＸ線が照射され、検出器４３にて被検体７を透過した後の透過Ｘ線データを検出する。コリメータ４２は、Ｘ線の照射角を調整する。検出器４３は複数の検出素子から成っており、その素子から得られる透過Ｘ線データに、それぞれ検出素子のチャンネル番号を割り当てる。スピーカ４４は音声再生装置である。
【００１７】
また、スキャナ４が１回転する間のサンプリング回数をビュー数とすると、検出器４３から得られた１回転分の透過Ｘ線データは投影データ変換部５１にて２次元投影データに変換され、投影データとして出力される。図３は２次元投影データの例を示す図である。データ横方向は検出器４３のチャンネル番号、縦方向はビュー数である。
【００１８】
再構成処理部５２では、この投影データにフィルターリング（畳み込み重積法）とバックプロジェクション（逆投影）処理を行い、被検体７の断層像を再構成する。
【００１９】
操作卓６の操作部６１は、キーボードやマウスなどであり、操作者の操作を受け付ける。画像表示部６２はモニタであり、再構成された断層像のほか、数値情報など様々な情報を表示する。
【００２０】
図４に基づいて、中央処理部２が実行するプログラムについて説明する。図４は、中央処理部２が実行するプログラムの構成を示すブロック図である。
【００２１】
プログラムは、関心領域設定部２ａ、濃度値算出部２ｂ、閾値設定部２ｃ、指示部２ｄ、監視回数計測部２ｅ、及び計時部２ｆ、により構成される。
【００２２】
関心領域設定部２ａは、被検体に造影剤を投与した場合に濃度値の監視を行いたい関心領域（以下、監視領域という）を断層像上に設定する。
【００２３】
濃度値算出部２ｂは、設定された監視領域の濃度値を算出する。なお、以下では、監視領域の濃度値を監視ＣＴ値という。
【００２４】
閾値設定部２ｃは、造影剤を注入された被検体の造影血管像を得るための本撮影に必要な準備行為の指示の開始時を判断するための監視用閾値であって、本撮影時における濃度値よりも低い値である監視用閾値を設定する。以下では、監視用閾値をオートボイス監視用閾値Ａという。
【００２５】
また、閾値設定部２ｃは、本撮影の開始時を判断するための撮影用閾値を更に設定する。以下では、撮影用閾値を撮影開始用閾値Ｂという。
【００２６】
指示部２ｄは、準備行為の指示を行う。指示の開始時は、監視ＣＴ値がオートボイス監視用閾値Ａ以上の時である。本実施形態ではスピーカ４４を介してオートボイスを発声し、準備行為として息を止める行為を指示する。
【００２７】
監視回数計測部２ｅは、準備行為の指示が行われた後に、監視撮影が行われた回数を計測する。
【００２８】
計時部２ｆは、制御部３が監視撮影を開始してからの経過時間、又は指示部２ｄによる指示が行われてからの経過時間を計測する。
【００２９】
上記プログラムは、中央処理部２に備えられた図示しない記憶装置に格納されている。中央処理部２は、これらのプログラムを記憶装置から読み出して実行する。
【００３０】
次に図５に基づいて、Ｘ線ＣＴ装置１の監視撮影について説明する。図５は本実施形態に係わる監視撮影の処理の流れを示すフローチャートである。
【００３１】
（ステップＳ１０１）
Ｓ１０１では、操作者は、スキャン撮影を行なう。投影データ変換部５１及び再構成処理部５２は、断層像を再構成する（Ｓ１０１）。
【００３２】
（ステップＳ１０２）
Ｓ１０２では、画像表示部６２は監視撮影に関する条件（監視条件）を設定する画面（設定画面）を表示する。図６は監視条件を設定する画面表示例を示す図である。設定画面７０には、Ｓ１０１にて再構成した断層像７１、監視条件を設定する設定領域７３が表示される。
【００３３】
設定領域７３は、本撮影を実行するためのオートボイス開始用閾値Ａ、本撮影の開始時を判断するための撮影開始用閾値Ｂ、監視撮影が開始されてからの所定の経過時間監視時間（監視時間Ｔ1）、指示部２ｄによる指示が行われてからの所定の経過時間（オートボイス後監視時間Ｔ２）、及び指示部２ｄによる指示が行われてからの所定の監視撮影の回数（オートボイス後監視回数Ｍ）の入力フィールドを備える。閾値設定部２ｃは、設定領域７３から入力された閾値を取得し、オートボイス開始用閾値Ａ及び撮影開始用閾値Ｂを設定する。
【００３４】
関心領域設定部２ａは、操作部６１を介して操作者からの入力を受け付け、断層像７１上に監視領域７２を設定する処理を行なう。設定された監視領域７２は断層像７１上で表示される。（Ｓ１０２）。なお、オートボイス開始用閾値Ａ及び撮影開始用閾値Ｂは、被検体に応じて調整して設定される。
【００３５】
上記の設定処理を終了した後、造影剤を被検体７に注入する。なお、被検体７に対する造影剤の注入については、自動で行なってもよいし、手動で行なってもよい。
【００３６】
（ステップＳ１０３）
Ｓ１０３では、監視を開始してからの経過時間を示す監視経過時間ｔ１、オートボイス後の経過時間を示すオートボイス後監視経過時間ｔ２、オートボイス後に監視撮影が行われた回数を示すオートボイス後監視経過回数ｍ、の初期化を行う（Ｓ１０３）。
【００３７】
（ステップＳ１０４）
Ｓ１０４では、制御部３は、監視撮影（モニタリングスキャン）を開始する。画像処理部５は、監視撮影により得られた投影データから断層像を再構成する（Ｓ１０４）。
【００３８】
（ステップＳ１０５）
Ｓ１０５では、濃度値算出部２ｂはＳ１０２で設定された監視領域７２の監視ＣＴ値を算出する（Ｓ１０５）。濃度値算出部２ｂは、監視領域７２の平均ＣＴ値を算出してもよいし、監視領域７２における最も高いＣＴ値（造影剤濃度が高くなった部位の濃度値に相当）を算出してもよい。
【００３９】
（ステップＳ１０６）
Ｓ１０６では、計時部２ｆは監視経過時間ｔ1の計時を開始する。
【００４０】
画像表示部６２は監視撮影の結果を示す画面（監視用画面）を表示する。図７は、監視用画面の画面表示例を示す図である。監視用画面７４には、Ｓ１０１にて再構成された断層像７１、監視領域７２、設定領域７３に加えて、監視撮影によって得られる断層像であるモニタリング画像７５、監視ＣＴ値遷移グラフ７６が表示される。監視ＣＴ値遷移グラフ７６の横軸は監視経過時間ｔ１、縦軸は監視ＣＴ値を示す。
【００４１】
（ステップＳ１０７）
Ｓ１０７では、濃度値算出部２ｂは監視ＣＴ値がオートボイス開始用閾値Ａより大きいか否かを判断する（Ｓ１０７）。監視ＣＴ値がオートボイス開始用閾値Ａより大きい場合は、Ｓ１０８へ進む。監視ＣＴ値がオートボイス開始用閾値Ａより小さい場合は、Ｓ１０５へ戻る。
【００４２】
（ステップＳ１０８）
Ｓ１０８では、指示部２ｄはオートボイスを発声する（Ｓ１０８）。指示部２ｄは、被検体に対して準備行為として息止めを指示する。例えば、「息を止めてください。」と発声する。なお、発声内容は体動抑制を指示するものであってもよい。
【００４３】
（ステップＳ１０９）
Ｓ１０９では、濃度値算出部２ｂは監視ＣＴ値を取得する（Ｓ１０９）。
【００４４】
（ステップＳ１１０）
Ｓ１１０では、監視ＣＴ値が撮影開始用閾値Ｂより大きいか否かが判定される（Ｓ１１０）。監視ＣＴ値が撮影開始用閾値Ｂより大きい場合は、Ｓ１１９へ進む。監視ＣＴ値が撮影開始用閾値Ｂより小さい場合は、Ｓ１０９へ戻る。
【００４５】
（ステップＳ１１１）
Ｓ１１１では、計時部２ｆは監視経過時間ｔ１を取得する（Ｓ１１１）。
【００４６】
（ステップＳ１１２）
Ｓ１１２では、監視経過時間ｔ１が監視時間Ｔ1より大きいか否かが判定される（Ｓ１１２）。監視経過時間ｔ１が監視時間Ｔ1より大きい場合は、Ｓ１１９へ進む。監視経過時間ｔ１が監視時間Ｔ1より小さい場合は、Ｓ１１１へ戻る。
【００４７】
（ステップＳ１１３）
Ｓ１１３では、計時部２ｆは、オートボイス後監視経過時間ｔ２の計時を開始する（Ｓ１１３）。
【００４８】
（ステップＳ１１４）
Ｓ１１４では、計時部２ｆは、オートボイス後監視経過時間ｔ２を取得する（Ｓ１１４）。
【００４９】
（ステップＳ１１５）
Ｓ１１５では、オートボイス後監視経過時間ｔ２がオートボイス後監視時間Ｔ２より大きいか否かが判定される（Ｓ１１５）。オートボイス後監視経過時間ｔ２がオートボイス後監視時間Ｔ２より大きい場合は、Ｓ１１９へ進む。オートボイス後監視経過時間ｔ２がオートボイス後監視時間Ｔ２より小さい場合は、Ｓ１１４へ戻る。
【００５０】
（ステップＳ１１６）
Ｓ１１６では、監視回数計測部２ｅはオートボイス後監視経過回数ｍの計測を開始する（Ｓ１１６）。
【００５１】
（ステップＳ１１７）
Ｓ１１７では、監視回数計測部２ｅはオートボイス後監視経過回数ｍを取得する（Ｓ１１７）。
【００５２】
（ステップＳ１１８）
Ｓ１１８では、オートボイス後監視経過回数ｍがオートボイス後監視回数Ｍより大きいか否かが判定される（Ｓ１１８）。オートボイス後監視経過回数ｍがオートボイス後監視回数Ｍより大きい場合は、Ｓ１１９へ進む。オートボイス後監視経過回数ｍがオートボイス後監視回数Ｍより小さい場合は、Ｓ１１７へ戻る。
【００５３】
（ステップＳ１１９）
Ｓ１１９では、制御部３は、スキャナ４を介して監視撮影を終了し、本撮影（本スキャン）を開始する（Ｓ１１９）。
【００５４】
本実施の形態により、再構成された断層像上に監視領域を設定しておき、被検体に造影剤を投与した後に同一位置の断層像を一定時間撮影する。監視ＣＴ値の観察を行い、監視ＣＴ値が予め設定したオートボイス開始用閾値Ａに達すると、オートボイスを開始する。また、監視ＣＴ値が撮影開始用閾値Ｂを越えた場合、監視経過時間ｔ１が監視時間Ｔ１を越えた場合、監視経過時間ｔ１が監視時間Ｔ1を超えた場合、又はオートボイス後監視経過回数ｍがオートボイス後監視回数Ｍを超えた場合に、本撮影が行なわれる。そのため、準備行為が終了した時点で本撮影を開始することができ、本撮影を適切なタイミングで行うことができる。
【００５５】
＜第二実施形態＞
本実施形態では、被検体７に対して時期の異なる複数の準備行為を指示し、閾値設定部２ｃは、準備行為毎にオートボイス開始用閾値を設定する。以下、図８に基づいて、本実施形態に係わる監視撮影について説明する。図８は、第二実施形態に係わる監視撮影の処理の流れを示すフローチャートである。
【００５６】
（ステップＳ２０１）
Ｓ２０１では、Ｓ１０１と同様に、スキャン撮影が行われる（Ｓ２０１）。
【００５７】
（ステップＳ２０２）
Ｓ２０２では、監視条件が設定される。画像表示部６２は設定画面を表示する。図９は設定画面の画面表示例を示す図である。設定画面７７には、Ｓ２０１にて再構成した断層像７８、監視条件を設定する設定領域８０が表示される。
【００５８】
関心領域設定部２ａは断層像７８上に監視領域７９を設定する。また、閾値設定部２ｃは、オートボイス開始用閾値Ａ１、オートボイス開始用閾値Ａ２、及び撮影開始用閾値Ｂを設定領域８０で設定する（Ｓ２０２）。
【００５９】
なお、ここで、オートボイス開始用閾値Ａ１は、オートボイス１「動かないで下さい」の発声開始時を判断するための閾値である。また、オートボイス開始用閾値Ａ２は、オートボイス２「息を止めてください」の発声開始時を判断するための閾値である。
【００６０】
（ステップＳ２０３）
Ｓ２０３では、Ｓ１０４と同様に、制御部３は監視撮影を行う（Ｓ２０３）。
【００６１】
（ステップＳ２０４）
Ｓ２０４では、濃度値算出部２ｂは監視ＣＴ値を取得する（Ｓ２０４）。
【００６２】
画像表示部６２は監視用画面を表示する。図１０は、監視用画面の画面表示例を示す図である。監視用画面８１には、断層像７８、監視領域７９、設定領域８０に加えて、監視撮影によって得られる断層像であるモニタリング画像８２が表示される。なお、計時部２ｆは監視経過時間ｔ1を計時してもよく、監視ＣＴ値遷移グラフ８３を表示してもよい。監視ＣＴ値遷移グラフ８３の横軸は監視経過時間ｔ１、縦軸は監視ＣＴ値を示す。
【００６３】
（ステップＳ２０５）
Ｓ２０５では、監視ＣＴ値がオートボイス開始用閾値Ａ１より大きいか否かが判定される（Ｓ１０７）。監視ＣＴ値がオートボイス開始用閾値Ａ１より大きい場合は、Ｓ２０６へ進む。監視ＣＴ値がオートボイス開始用閾値Ａ１より小さい場合は、Ｓ２０４に戻る。
【００６４】
（ステップＳ２０６）
Ｓ２０６では、指示部２ｄはオートボイス１「動かないで下さい。」を発声する（Ｓ２０６）。
【００６５】
（ステップＳ２０７）
Ｓ２０７では、濃度値算出部２ｂは監視ＣＴ値を取得する（Ｓ２０７）。
【００６６】
（ステップＳ２０８）
Ｓ２０８では、監視ＣＴ値がオートボイス開始用閾値Ａ２より大きいか否かが判定される（Ｓ１０７）。監視ＣＴ値がオートボイス開始用閾値Ａ２より大きい場合は、Ｓ２０９へ進む。監視ＣＴ値がオートボイス開始用閾値Ａ２より小さい場合は、Ｓ２０７に戻る。
【００６７】
（ステップＳ２０９）
Ｓ２０９では、指示部２ｄはオートボイス２「息を止めてください。」を発声する（Ｓ２０９）。
【００６８】
（ステップＳ２１０）
Ｓ２１０では、濃度値算出部２ｂは監視ＣＴ値を取得する（Ｓ２１０）。
【００６９】
（ステップＳ２１１）
Ｓ２１１では、監視ＣＴ値が撮影開始用閾値Ｂより大きいか否かが判定される（Ｓ２１１）。監視ＣＴ値が撮影開始用閾値Ｂより大きい場合は、Ｓ２１２へ進む。監視ＣＴ値が撮影開始用閾値Ｂより小さい場合は、Ｓ２１０に戻る。
【００７０】
（ステップＳ２１２）
Ｓ２１２では、Ｓ１１９と同様に、制御部３は監視撮影を終了し、本撮影を開始する（Ｓ２１２）。
【００７１】
本実施の形態により、複数の準備行為にそれぞれ対応する複数のオートボイス開始用閾値Ａ１、Ａ２を設定する。監視ＣＴ値が設定されたオートボイス開始用閾Ａ１、Ａ２以上の場合に、準備行為に対応してオートボイスを発声する。また、監視ＣＴ値が撮影開始用閾値Ｂより大きい場合に本撮影を実行する。そのため、準備行為が終了した時点で本撮影を開始することができ、本撮影を適切なタイミングで行うことができる。
【００７２】
＜第三実施形態＞
本実施形態では、ユーザが準備行為の指示の開始時を判断するための監視領域と、本撮影の開始時を判断するための撮影開始用領域とを設定する。
【００７３】
以下では、監視領域の濃度値（第一濃度値）を監視ＣＴ値（ｄ）といい、撮影開始用領域の濃度値（第二濃度値）を監視ＣＴ値（ｃ）という。また、以下では、指示部２ｄにより指示される準備行為は1つとして説明するが、複数あってもよい。
【００７４】
以下、図１１に基づいて、第三実施形態に係わる監視撮影について説明する。図１１は、監視撮影の処理の流れを示すフローチャートである。
（ステップＳ３０１）
Ｓ３０１では、Ｓ１０１と同様に、被検体の断層像が再構成される（Ｓ３０１）。
（ステップＳ３０２）
Ｓ３０２では、監視条件が設定される。画像表示部６２は設定画面を表示する。図１２は設定画面の画面表示例を示す図である。設定画面８４には、Ｓ３０１にて再構成した断層像８５が表示される。
【００７５】
関心領域設定部２ａは、断層像７８上に、監視領域８６及び撮影開始用領域８７を設定する。また、閾値設定部２ｃは、オートボイス開始用閾値Ａ、及び撮影開始用閾値Ｂを設定領域８８で設定する（Ｓ３０２）。
【００７６】
（ステップＳ３０３）
Ｓ３０３では、制御部３は監視撮影を開始する（Ｓ３０３）。
【００７７】
（ステップＳ３０４）
Ｓ３０４では、濃度値算出部２ｂは、監視領域８６の監視ＣＴ値（ｄ）を取得する（Ｓ３０４）。
【００７８】
画像表示部６２は監視用画面を表示する。図１３は、監視用画面の画面表示例を示す図である。監視用画面８９には、断層像８５、監視領域８６、撮影開始用領域８７、設定領域８８に加えて、監視撮影によって再構成されるモニタリング画像９０が表示される。なお、計時部２ｆは監視経過時間ｔ1を計時してもよく、監視ＣＴ値遷移グラフ９１を表示してもよい。監視ＣＴ値遷移グラフ９１の横軸は監視経過時間ｔ１、縦軸は撮影開始用領域８７の監視ＣＴ値（ｃ）または縦軸は監視領域８６の監視ＣＴ値（ｄ）を示す。
【００７９】
（ステップＳ３０５）
Ｓ３０５では、監視ＣＴ値（ｄ）がオートボイス開始用閾値Ａより大きいか否かが判定される（Ｓ３０５）。監視ＣＴ値（ｄ）がオートボイス開始用閾値Ａより大きい場合は、Ｓ３０６へ進む。監視ＣＴ値（ｄ）がオートボイス開始用閾値Ａより小さい場合は、Ｓ３０４に戻る。
【００８０】
（ステップＳ３０６）
Ｓ３０６では、指示部２ｄはオートボイスを発声する（Ｓ３０６）。
【００８１】
（ステップＳ３０７）
Ｓ３０７では、濃度値算出部２ｂは、撮影開始用領域８７の監視ＣＴ値（ｃ）を取得する（Ｓ３０７）。
【００８２】
（ステップＳ３０８）
Ｓ３０８では、監視ＣＴ値（ｃ）が撮影開始用閾値Ｂより大きいか否かが判定される（Ｓ３０８）。監視ＣＴ値（ｃ）が撮影開始用閾値Ｂより大きい場合は、Ｓ３０９へ進む。監視ＣＴ値（ｃ）がオートボイス開始用閾値Ｂより小さい場合は、Ｓ３０７に戻る。
【００８３】
（ステップＳ３０９）
Ｓ３０９では、Ｓ１１９と同様に、制御部３は監視撮影を終了し、本撮影を開始する（Ｓ１１９）。
【００８４】
本実施の形態により、監視領域８６の監視ＣＴ値（ｄ）がオートボイス開始用閾値Ａより大きい場合にオートボイスを発声する。また、撮影開始用領域８７の監視ＣＴ値（ｄ）が撮影開始用閾値Ｂより大きい場合に本撮影を実行する。そのため、準備行為が終了した時点で本撮影を開始することができ、本撮影を適切なタイミングで行うことができる。
【００８５】
なお、上記実施形態では、被検体に対し準備行為の指示を行う指示手段として、指示部２ｄ及びスピーカ４４を備えたオートボイス機能を備えたが、指示手段はオートボイスに限らず、被検体に対し準備行為の指示を通知できる手段であればよい。例えば、準備行為の開始時を知らせるためのピープ音を発生させてもよいし、ＬＥＤを点滅させてもよい。また、スキャナ４等にモニタを設置し、モニタに準備行為の内容を示す画像を表示させてもよい。
【図面の簡単な説明】
【００８６】
【図１】Ｘ線ＣＴ装置のハードウェア構成を示すブロック図
【図２】Ｘ線管と検出器との位置関係を示す図
【図３】２次元投影データの例を示す図
【図４】中央処理部が実行するプログラムの構成を示すブロック図
【図５】第一実施形態に係わる監視撮影の処理の流れを示すフローチャート
【図６】設定画面の画面表示例を示す図
【図７】監視用画面の画面表示例を示す図
【図８】第二実施形態に係わる監視撮影の処理の流れを示すフローチャート
【図９】設定画面の画面表示例を示す図
【図１０】監視用画面の画面表示例を示す図
【図１１】第三実施形態に係わる監視撮影の処理の流れを示すフローチャート
【図１２】設定画面の画面表示例を示す図
【図１３】監視用画面の画面表示例を示す図
【図１４】従来の監視撮影の処理の流れを示すフローチャート
【符号の説明】
【００８７】
１…Ｘ線ＣＴ装置、２…中央処理部、３…制御部、３１…Ｘ線制御部、３２…コリメータ制御部、３３…スキャナ制御部、４…スキャナ、４１…Ｘ線管、４２…コリメータ、４３…検出器、４４…スピーカ、５…画像処理部、５１…投影データ変換部、５２…再構成処理部、６…操作卓、６１…操作部、６２…画像表示部
【図１】
2007111255.tif 000003
【図２】
2007111255.tif 000004
【図３】
2007111255.tif 000005
【図４】
2007111255.tif 000006
【図５】
2007111255.tif 000007
【図６】
2007111255.tif 000008
【図７】
2007111255.tif 000009
【図８】
2007111255.tif 000010
【図９】
2007111255.tif 000011
【図１０】
2007111255.tif 000012
【図１１】
2007111255.tif 000013
【図１２】
2007111255.tif 000014
【図１３】
2007111255.tif 000015
【図１４】
2007111255.tif 000016